【手続補正書】
【提出日】平成28年3月16日(2016.3.16)
【手続補正１】
【補正対象書類名】特許請求の範囲
【補正対象項目名】全文
【補正方法】変更
【補正の内容】
【特許請求の範囲】
【請求項１】
タッチの有無およびタッチされている位置を検出するタッチパネル部と、
表示部と、
前記タッチパネル部の検出情報から前記タッチパネル部が受けた操作の種類を判定するための所定の指標に係る値を求め、前記値が第１の領域にある場合は第１操作を受けたと判定し、前記値が第２の領域にある場合は第２操作を受けたと判定する判定部と、
を有し、
前記判定部は、前記操作の種類の選択をユーザから受け付け、前記値が、前記選択された種類の操作に対応する領域に入るように、前記第１の領域又は前記第２の領域の範囲を変更する
ことを特徴とする操作表示装置。
【請求項２】
タッチの有無およびタッチされている位置を検出するタッチパネル部と、
表示部と、
前記タッチパネル部の検出情報から前記タッチパネル部が受けた操作の種類を判定するための所定の指標に係る値を求め、前記値が第１の領域にある場合は第１操作を受けたと判定し、前記値が第２の領域にある場合は第２操作を受けたと判定する判定部と、
を有し、
前記判定部は、前記第１操作および第２操作の少なくとも一方の操作を、操作の種類を特定した上で受け付け、特定した種類の操作における前記指標の値が前記特定した種類の操作に対応する領域に入るように、前記第１の領域及び前記第２の領域の範囲の少なくとも一方を変更する
ことを特徴とする操作表示装置。
【請求項３】
前記第１操作はフリック操作であり、前記第２操作はタッチ操作である
ことを特徴とする請求項１又は２に記載の操作表示装置。
【請求項４】
前記第１操作はフリック操作であり、前記第２操作はドラッグ操作である
ことを特徴とする請求項１又は２に記載の操作表示装置。
【請求項５】
前記第１操作はドラッグ操作であり、前記第２操作はタッチ操作である
ことを特徴とする請求項１又は２に記載の操作表示装置。
【請求項６】
前記指標は、タッチからリリースまでの移動距離、もしくは、タッチからリリースまでの移動距離と時間の長さとの組み合わせである
ことを特徴とする請求項１乃至５のいずれか１つに記載の操作表示装置。
【請求項７】
操作するユーザを認証するユーザ認証部と、
前記第１の領域及び前記第２の領域を示す領域情報をユーザ別に記憶する記憶部と、
をさらに備え、
前記判定部は、前記ユーザ認証部で認証されたユーザに対応付けて前記記憶部に記憶されている前記領域情報を用いて、前記認証されたユーザから受ける操作の種類を判定する
ことを特徴とする請求項１乃至６のいずれか１項に記載の操作表示装置。
【請求項８】
タッチの有無およびタッチされている位置を検出するタッチパネル部と表示部とを備える操作表示装置に、
前記タッチパネル部の検出情報から前記タッチパネル部が受けた操作の種類を判定するための所定の指標に係る値を求めるステップと、
前記値が第１の領域にある場合は第１操作を受けたと判定するステップと、
前記値が第２の領域にある場合は第２操作を受けたと判定するステップと、
前記操作の種類の選択をユーザから受け付けるステップと、
前記値が、前記選択された種類の操作に対応する領域に入るように、前記第１の領域又は前記第２の領域の範囲を変更するステップと、を実行させる
ことを特徴とするプログラム。
【請求項９】
タッチの有無およびタッチされている位置を検出するタッチパネル部と表示部とを備える操作表示装置に、
前記タッチパネル部の検出情報から前記タッチパネル部が受けた操作の種類を判定するための所定の指標に係る値を求めるステップと、
前記値が第１の領域にある場合は第１操作を受けたと判定するステップと、
前記値が第２の領域にある場合は第２操作を受けたと判定するステップと、
前記第１操作および第２操作の少なくとも一方の操作を、操作の種類を特定した上で受け付けるステップと、
種類を特定した操作における前記指標の値が前記特定した種類の操作に対応する領域に入るように、前記第１の領域及び前記第２の領域の範囲の少なくとも一方を変更するステップと、を実行させる
ことを特徴とするプログラム。
【請求項１０】
前記第１操作はフリック操作であり、前記第２操作はタッチ操作である
ことを特徴とする請求項８又は９に記載のプログラム。
【請求項１１】
前記第１操作はフリック操作であり、前記第２操作はドラッグ操作である
ことを特徴とする請求項８又は９に記載のプログラム。
【請求項１２】
前記第１操作はドラッグ操作であり、前記第２操作はタッチ操作である
ことを特徴とする請求項８又は９に記載のプログラム。
【請求項１３】
前記指標は、タッチからリリースまでの移動距離、もしくは、タッチからリリースまでの移動距離と時間の長さとの組み合わせである
ことを特徴とする請求項８乃至１２のいずれか１つに記載のプログラム。
【請求項１４】
前記操作表示装置に、
操作するユーザを認証するステップと、
前記第１の領域及び前記第２の領域を示す領域情報を、ユーザ別に、前記操作表示装置の記憶部に記憶するステップと、
をさらに実行させ、
前記第１操作を受けたと判定するステップ及び前記第２操作を受けたと判定するステップでは、前記認証されたユーザに対応付けて前記記憶部に記憶されている前記領域情報を用いて、前記認証されたユーザから受ける操作の種類を判定する
ことを特徴とする請求項８乃至１３のいずれか１項に記載のプログラム。
【手続補正２】
【補正対象書類名】明細書
【補正対象項目名】発明の名称
【補正方法】変更
【補正の内容】
【発明の名称】操作表示装置  プログラム
【手続補正３】
【補正対象書類名】明細書
【補正対象項目名】０００１
【補正方法】変更
【補正の内容】
【０００１】
本発明は、タッチパネルにて複数種類の操作を受ける操作表示装置およびプログラムに関する。
【手続補正４】
【補正対象書類名】明細書
【補正対象項目名】００１０
【補正方法】変更
【補正の内容】
【００１０】
本発明は、上記の問題を解決しようとするものであり、ユーザから受けた操作の誤判定を少なく抑えることのできる操作表示装置およびプログラムの提供を目的としている。
【手続補正５】
【補正対象書類名】明細書
【補正対象項目名】００１２
【補正方法】変更
【補正の内容】
【００１２】
［１］タッチの有無およびタッチされている位置を検出するタッチパネル部と、
表示部と、
前記タッチパネル部の検出情報から前記タッチパネル部が受けた操作の種類を判定するための所定の指標に係る値を求め、前記値が第１の領域にある場合は第１操作を受けたと判定し、前記値が第２の領域にある場合は第２操作を受けたと判定する判定部と、
を有し、
前記判定部は、前記操作の種類の選択をユーザから受け付け、前記値が、前記選択された種類の操作に対応する領域に入るように、前記第１の領域又は前記第２の領域の範囲を変更する
ことを特徴とする操作表示装置。
【手続補正６】
【補正対象書類名】明細書
【補正対象項目名】００１３
【補正方法】変更
【補正の内容】
【００１３】
上記発明では、操作の種類を判定するための所定の指標（たとえば、移動距離やタッチ継続時間など）の値が第１の領域にある場合は第１操作と判定し、第２の領域にある場合は第２操作と判定する。
【手続補正７】
【補正対象書類名】明細書
【補正対象項目名】００１５
【補正方法】変更
【補正の内容】
【００１５】
［２］タッチの有無およびタッチされている位置を検出するタッチパネル部と、
表示部と、
前記タッチパネル部の検出情報から前記タッチパネル部が受けた操作の種類を判定するための所定の指標に係る値を求め、前記値が第１の領域にある場合は第１操作を受けたと判定し、前記値が第２の領域にある場合は第２操作を受けたと判定する判定部と、
を有し、
前記判定部は、前記第１操作および第２操作の少なくとも一方の操作を、操作の種類を特定した上で受け付け、特定した種類の操作における前記指標の値が前記特定した種類の操作に対応する領域に入るように、前記第1の領域及び前記第２の領域の範囲の少なくとも一方を変更する
ことを特徴とする操作表示装置。
【手続補正８】
【補正対象書類名】明細書
【補正対象項目名】００１７
【補正方法】変更
【補正の内容】
【００１７】
［３］前記第１操作はフリック操作であり、前記第２操作はタッチ操作である
ことを特徴とする［１］又は［２］に記載の操作表示装置。
【手続補正９】
【補正対象書類名】明細書
【補正対象項目名】００１８
【補正方法】変更
【補正の内容】
【００１８】
［４］前記第１操作はフリック操作であり、前記第２操作はドラッグ操作である
ことを特徴とする［１］又は［２］に記載の操作表示装置。
【手続補正１０】
【補正対象書類名】明細書
【補正対象項目名】００１９
【補正方法】変更
【補正の内容】
【００１９】
［５］前記第１操作はドラッグ操作であり、前記第２操作はタッチ操作である
ことを特徴とする［１］又は［２］に記載の操作表示装置。
【手続補正１１】
【補正対象書類名】明細書
【補正対象項目名】００２０
【補正方法】変更
【補正の内容】
【００２０】
［６］前記指標は、タッチからリリースまでの移動距離、もしくは、タッチからリリースまでの移動距離と時間の長さとの組み合わせである
ことを特徴とする［１］乃至［５］のいずれか１つに記載の操作表示装置。
【手続補正１２】
【補正対象書類名】明細書
【補正対象項目名】００２１
【補正方法】削除
【補正の内容】
【手続補正１３】
【補正対象書類名】明細書
【補正対象項目名】００２３
【補正方法】変更
【補正の内容】
【００２３】
［７］操作するユーザを認証するユーザ認証部と、
前記第１の領域及び前記第２の領域を示す領域情報をユーザ別に記憶する記憶部と、
をさらに備え、
前記判定部は、前記ユーザ認証部で認証されたユーザに対応付けて前記記憶部に記憶されている前記領域情報を用いて、前記認証されたユーザから受ける操作の種類を判定する
ことを特徴とする［１］乃至［６］のいずれか１項に記載の操作表示装置。
【手続補正１４】
【補正対象書類名】明細書
【補正対象項目名】００２４
【補正方法】変更
【補正の内容】
【００２４】
上記発明では、判定の領域はユーザ別に記憶され、ユーザ認証されたユーザに対応する領域の情報が、該ユーザから受けた操作の種類の判定に使用される。
［８］タッチの有無およびタッチされている位置を検出するタッチパネル部と表示部とを備える操作表示装置に、
前記タッチパネル部の検出情報から前記タッチパネル部が受けた操作の種類を判定するための所定の指標に係る値を求めるステップと、
前記値が第１の領域にある場合は第１操作を受けたと判定するステップと、
前記値が第２の領域にある場合は第２操作を受けたと判定するステップと、
前記操作の種類の選択をユーザから受け付けるステップと、
前記値が、前記選択された種類の操作に対応する領域に入るように、前記第１の領域又は前記第２の領域の範囲を変更するステップと、を実行させる
ことを特徴とするプログラム。
［９］タッチの有無およびタッチされている位置を検出するタッチパネル部と表示部とを備える操作表示装置に、
前記タッチパネル部の検出情報から前記タッチパネル部が受けた操作の種類を判定するための所定の指標に係る値を求めるステップと、
前記値が第１の領域にある場合は第１操作を受けたと判定するステップと、
前記値が第２の領域にある場合は第２操作を受けたと判定するステップと、
前記第１操作および第２操作の少なくとも一方の操作を、操作の種類を特定した上で受け付けるステップと、
種類を特定した操作における前記指標の値が前記特定した種類の操作に対応する領域に入るように、前記第１の領域及び前記第２の領域の範囲の少なくとも一方を変更するステップと、を実行させる
ことを特徴とするプログラム。
［１０］前記第１操作はフリック操作であり、前記第２操作はタッチ操作である
ことを特徴とする［８］又は［９］に記載のプログラム。
［１１］前記第１操作はフリック操作であり、前記第２操作はドラッグ操作である
ことを特徴とする［８］又は［９］に記載のプログラム。
［１２］前記第１操作はドラッグ操作であり、前記第２操作はタッチ操作である
ことを特徴とする［８］又は［９］に記載のプログラム。
［１３］前記指標は、タッチからリリースまでの移動距離、もしくは、タッチからリリースまでの移動距離と時間の長さとの組み合わせである
ことを特徴とする［８］乃至［１２］のいずれか１つに記載のプログラム。
［１４］前記操作表示装置に、
操作するユーザを認証するステップと、
前記第１の領域及び前記第２の領域を示す領域情報を、ユーザ別に、前記操作表示装置の記憶部に記憶するステップと、
をさらに実行させ、
前記第１操作を受けたと判定するステップ及び前記第２操作を受けたと判定するステップでは、前記認証されたユーザに対応付けて前記記憶部に記憶されている前記領域情報を用いて、前記認証されたユーザから受ける操作の種類を判定する
ことを特徴とする［８］乃至［１３］のいずれか１項に記載のプログラム。
【手続補正１５】
【補正対象書類名】明細書
【補正対象項目名】００２５
【補正方法】変更
【補正の内容】
【００２５】
本発明に係る操作表示装置およびプログラムによれば、タッチパネルにてユーザから受けた操作の種類の誤判定を少なく抑えることができる。